(57)【特許請求の範囲】
【請求項１】
便器と便座との隙間に配置する吸引口を有する吸引ノズル部と、吸引ノズル部が吸引した空気を脱臭処理する脱臭部と、便器と脱臭部との間に挿入するアジャスタとを備え、前記アジャスタには、上方に向かうに従って断面積が小さくなるくさび型形状のハウジング部を設け、前記アジャスタを前記便器に沿わせて上下させて調整することによって脱臭部が便器の側面に鉛直に保持されるトイレ脱臭装置。
【請求項２】
吸引ノズル部は、Ｌ字状とした形状とし、Ｌ字の一辺に脱臭部を接続する請求項１に記載したトイレ脱臭装置。
【請求項３】
吸引ノズル部を構成するハウジングは、プラスチック樹脂によって構成した請求項１または２に記載したトイレ脱臭装置。
【請求項４】
アジャスタは、磁石を有するハウジング部と、前記磁石に吸引保持されるプレートと前記プレートの表面に貼りつけた粘着テープによって構成した請求項１から３のいずれか１項に記載したトイレ脱臭装置。
【請求項５】
ハウジング部は、プラスチック樹脂によって構成した請求項１から４のいずれか１項に記載したトイレ脱臭装置。
【請求項６】
ハウジング部は少なくとも表面をフッ素樹脂加工した請求項１から５のいずれか１項に記載したトイレ脱臭装置。
【請求項７】
ハウジング部は、プレートに備えた溝がはまりこむ突起を有する請求項１から６のいずれか１項に記載したトイレ脱臭装置。
【請求項８】
プレートは一列に配置している所定の間隔とした複数の溝を有している請求項１から７のいずれか１項に記載したトイレ脱臭装置。
【請求項９】
アジャスタは、脱臭部に取り付けた請求項１から８のいずれか１項に記載したトイレ脱臭装置。
【請求項１０】
アジャスタは、脱臭部に取り外し自在に取り付けた請求項９に記載したトイレ脱臭装置。
【請求項１１】
吸引ノズル部と脱臭部とを接続する接続チューブを備えた請求項１から１０のいずれか１項に記載したトイレ脱臭装置。
【発明の詳細な説明】
【０００１】
【発明の属する技術分野】
本発明は、便器から発生する悪臭を分解脱臭するトイレ脱臭装置に関するものである。
【０００２】
【従来の技術】
図７は、従来使用されているトイレ脱臭装置の構成を示す斜視図である。この構成のものは、便器１と便蓋２を備えた便座３との間隙４に、先端に吸引口５を有する吸引ダクト６を挿入して、便器７内から臭気を吸引し、活性炭等からなる脱臭剤と吸引用の送風機等を有する脱臭部８で脱臭処理して排気するようにしているものである。
【０００３】
【発明が解決しようとする課題】
前記従来の構成のものは、便器にトイレ脱臭装置を取り付ける際に取り付け作業が困難であるという課題を有している。
【０００４】
すなわち、脱臭部が便器の形に添って斜めになると、脱臭部と一体になっている吸引ダクトが浮き上がって便蓋が閉じられない、あるいは便蓋が浮くという状況となるものである。
【０００５】
【課題を解決するための手段】
本発明は、便器と便座との隙間に配置する吸引口を有する吸引ノズル部と、吸引ノズル部が吸引した空気を脱臭処理する脱臭部と、便器と脱臭部との間に挿入するアジャスタとを構成要件として備えている。このアジャスタには、上方に向かうに従って断面積が小さくなるくさび型形状のハウジング部を設け、アジャスタを便器に沿わせて上下させて調整することによって脱臭部が便器の側面に鉛直に保持されるようにして、便蓋が閉じられない、あるいは便蓋が浮くという状況が発生することがなく、取り付け作業が容易にできるトイレ脱臭装置としている。
【０００６】
【発明の実施の形態】
請求項１に記載した発明は、便器と便座との隙間に配置する吸引口を有する吸引ノズル部と、吸引ノズル部が吸引した空気を脱臭処理する脱臭部と、便器と脱臭部との間に挿入するアジャスタとを構成要件として備えている。このアジャスタには、上方に向かうに従って断面積が小さくなるくさび型形状のハウジング部を設け、アジャスタを便器に沿わせて上下させて調整することによって脱臭部が便器の側面に鉛直に保持されるようにして、便蓋が閉じられない、あるいは便蓋が浮くという状況が発生することがなく、取り付け作業が容易にできるトイレ脱臭装置としている。また、脱臭部を便器の側面に配置するときの脱臭部の角度の調整が容易にでき、脱臭部の配置作業が非常に容易となるものである。
【０００７】
請求項２に記載した発明は、請求項１に記載した構成に加え、吸引ノズル部はＬ字状とした形状とし、Ｌ字の一辺に脱臭部を接続する構成としている。この結果、吸引ノズル部を便器をまたぐように配置することによって便器の側面に自動的に脱臭部を配置でき、脱臭部の配置作業が非常に容易となるものである。
【０００８】
請求項３に記載した発明は、請求項１または２に記載した構成に加え、吸引ノズル部を構成するハウジングは、プラスチック樹脂によって構成しているものである。この結果、脱臭部の取り付け作業時に吸引ノズル部によって便器や便座等の周囲の部品を傷つけることがなく、また作業者が傷を負ったりすることがない安全な取り付け作業ができるトイレ脱臭装置としている。
【０００９】
請求項４に記載した発明は、請求項１から３のいずれか１項に記載した構成に加え、アジャスタは、磁石を有するハウジング部と、前記磁石に吸引保持されるプレートと、前記プレートの表面に貼りつけた粘着テープによって構成したものとしている。
【００１０】
脱臭部が粘着テープによってプレートに固定されている状態で、アジャスタの位置を調整することによって脱臭部の角度を調整でき、脱臭部の配置作業が非常に容易となるものである。
【００１１】
請求項５に記載した発明は、請求項１から４のいずれか１項に記載した構成に加え、ハウジング部は、プラスチック樹脂によって構成しているものである。この結果、脱臭部を便器の側面に配置する作業を実行する際に、脱臭部を傷つけたり、便器を傷つけたりするおそれがなく、取り付け作業が非常に楽なトイレ脱臭装置としている。
【００１２】
請求項６に記載した発明は、請求項１から５のいずれか１項に記載した構成に加え、ハウジング部は少なくとも表面をフッ素樹脂加工した構成としている。脱臭部を便器の側面に配置する作業を実行する際に、脱臭部を傷つけたり、便器を傷つけたりするおそれがなく、取り付け作業が非常に楽なトイレ脱臭装置としている。
【００１３】
請求項７に記載した発明は、請求項１から６のいずれか１項に記載した構成に加え、ハウジング部は、プレートに備えた溝がはまりこむ突起を有する構成としている。この結果、アジャスタの位置を微妙に調整することが可能で、脱臭部の配置位置を正確に決めることができるトイレ脱臭装置としている。
【００１４】
請求項８に記載した発明は、請求項１から７のいずれか１項に記載した構成に加え、プレートは一列に配置している所定の間隔とした複数の溝を有している構成としている。この結果、アジャスタの位置を微妙に調整することが可能で、脱臭部の配置位置を正確に決めることができるトイレ脱臭装置としている。
【００１５】
請求項９に記載した発明は、請求項１から８のいずれか１項に記載した構成に加え、アジャスタは、脱臭部に取り付けた構成としている。この結果、アジャスタは常に脱臭部に一体に取り付けられており、例えば運搬によって紛失されたりすることがなく、取り付け作業が楽にできるトイレ脱臭装置としている。
【００１６】
請求項１０に記載した発明は、請求項９に記載した構成に加え、アジャスタは、脱臭部に取り外し自在に取り付けた構成としている。この結果、取り付け時にアジャスタを脱臭部から簡単に取り外して使うことができ、取り付け作業が楽にできるトイレ脱臭装置としている。
【００１７】
請求項１１に記載した発明は、請求項１から１０のいずれか１項に記載した構成に加え、吸引ノズル部と脱臭部とを接続する接続チューブを備えたものである。この結果、脱臭部の配置位置を自由に選択でき、取り付け作業そのものが不要となるトイレ脱臭装置としている。
【００１８】
【実施例】
（実施例１）
以下、本発明の第１の実施例について説明する。図１は、本実施例の構成を示す説明図である。本実施例では、トイレ脱臭装置は、吸引ノズル部１０と脱臭部１１とアジャスタ２５によって構成している。
【００１９】
吸引ノズル部１０は、全体がパイプとなっており脱臭部１１が動作すると便器１内の空気を吸引するように動作する。すなわち、便器１と便座３との隙間に配置して使用する構成となっている。図２は、吸引ノズル部１０の形状を説明する斜視図である。吸引ノズル部１０は、Ｌ字状とした形状とし、Ｌ字の一辺に脱臭部１１を接続している。また、吸引ノズル部１０のＬ字の他辺は、便器１にかかる形状となっており、先端部は前記したように便器１から空気を吸引する吸引口１０ａとなっている。すなわち、吸引口１０ａから吸引された空気は、吸引ノズル部１０を通って、吸引ノズル部１０に接続されている脱臭部１１に向かうものである。
【００２０】
本実施例では、吸引ノズル部１０を構成するハウジングは、プラスチック樹脂によって構成している。この結果、吸引ノズル部１０は表面が滑らかで、またある程度の柔軟性を有するものとなり、便器１上に配置するときに便器１を傷つけるおそれはない。また、便蓋２を閉じたときに、便蓋２を傷つけるおそれはない。
【００２１】
図３は、前記脱臭部１１の構成を示す断面図である。脱臭部１１は、筐体内に脱臭剤１２と、ファンモータ１３を備えている。ファンモータ１３が駆動されると、前記吸引口１０ａから吸気された空気が、脱臭剤１２を通って、隔壁１４に配置している図示していない吸気口からファンモータ１３に入り、ファンモータ１３の遠心方向に設けている図示していない排気口から排気されるものである。
【００２２】
このとき、本実施例では、脱臭剤１２として活性炭を使用しており、空気中に含有されている臭い成分は脱臭剤１２によって吸着される。従って、排気口から排気される空気は無臭となってトイレ空間は快適となるものである。
【００２３】
図４は、前記アジャスタ２５の構成を示す断面図である。アジャスタ２５は、磁石２７を有するハウジング部２６と、磁石２７に吸引保持されるプレート３１と、プレート３１の表面に貼りつけた両面粘着テープ３２によって構成している。
【００２４】
前記ハウジング部２６は、上方に向かうに従って断面積が小さくなるくさび型形状としている。また本実施例ではハウジング部２６は、プラスチック樹脂によって構成しており、表面をフッ素樹脂加工している。なお、ハウジング部２６を金属材料によって構成し、表面をフッ素樹脂加工したものとしても支障はない。また、ハウジング部２６は、突起２８を有している。
【００２５】
図５は、前記プレート３１の形状を示す平面図である。本実施例では、プレート３１は、一列に等間隔に配置した溝３３を有している。この溝３３は、前記ハウジング部２６が有している突起２８にはまりこむものである。すなわち、プレート３１は、ハウジング部２６の磁石２７によって吸引された状態で、ハウジング部２６の表面を摺動でき、溝３３が突起２８にはまりこむ位置で固定される。このとき、プレート３１は全長に亘って溝３３を設けており、一旦突起２８に嵌合された状態となっても、軽く上下に動かすだけでこの嵌合を容易に解けるようになっているため、突起２８に嵌合される溝３３の位置を自由に調整できる。なお、溝３３が突起２８に嵌合された状態を容易に解ける理由は、図４に示しているように突起２８を傾斜させているためである。
【００２６】
すなわち、図１に示しているアジャスタ２５の位置の調整が容易で、脱臭部１１が鉛直方向となる位置に簡単に調整できるものである。
【００２７】
また、図６はプレート３１の断面方向の形状を示す側面図である。プレート３１の表面には両面粘着テープ３２を貼りつけている。
【００２８】
こうして、突起２８に嵌合される溝３３の位置が決定されると、プレート３１の表面に予め貼りつけている両面粘着テープの離型剤を剥いで、両面粘着テープ３２によって脱臭部１１を固定する。
【００２９】
またこのとき、本実施例では、前記アジャスタ２５は、脱臭部１１に取り付けている。このため、アジャスタ２５は常に脱臭部１１に一体に取り付けられており、例えば運搬によって紛失されたりすることがなく、取り付け作業が楽にできるものとなっている。
【００３０】
またこのとき、アジャスタ２５を脱臭部１１に取り外し自在に取り付けるようにしておけば、脱臭部１１を取り付ける時にアジャスタ２５を脱臭部１１から簡単に取り外して使うことができ、取り付け作業が楽にできるものである。
【００３１】
以下、本実施例のトイレ脱臭装置の取り付けについて説明する。便座３を引き上げて、便器１の上面に、吸引ノズル部１０を図１に示しているように引っかける。吸引ノズル部１０が便器１上に載置されると、吸引ノズル部１０に接続している脱臭部１１は便器１の側面に位置する。脱臭部１１の側面には、図４に示している両面粘着テープ３２によって固定されているアジャスタ２５が存在している。この状態で、アジャスタ２５の下部を持って便器１の側面に沿わせて上下する。アジャスタ２５のハウジング部２６は、図４に示しているように上方に向かうに従って断面積が小さくなるくさび型形状としているため、上方向に移動させるに従って、脱臭部１１と便器１との間隔は拡がっていく。すなわち、脱臭部１１の配置角度は調整できる。このとき、アジャスタ２５は、表面がプレート３１となっている。プレート３１は前記しているように両面粘着テープ３２によって脱臭部１１に固定されている。従って、ハウジング部２６を例えば上方に動かすと、プレート３１はハウジング部２６に対して下方に移動することになる。プレート３１には、図５に示しているように、一列に等間隔に設けている溝３３を有している。この溝３３は、ハウジング部２６に設けている突起２８に嵌合する。
【００３２】
つまり、ハウジング部２６はプレート３１とは独立して移動できるものである。こうして、脱臭部１１が鉛直となった位置でアジャスタ２５を停止すると、この位置に合致する溝３３が突起２８に嵌合されるものである。このとき、本実施例では、図５に示しているように、プレート３１の全面に溝３３を設けているものである。このため、脱臭部１１の微妙な角度の調整が可能となっているものである。
【００３３】
こうして、脱臭部１１が鉛直方向となると取り付けは終了する。脱臭部１１が鉛直方向となると、便座３を閉じたときに便蓋２が浮き上がったりすることはないものである。
【００３４】
取り付けが終了すると、図示してないスイッチをオンすることによって、脱臭部１１に設けているファンモータ１３が回転駆動して装置は動作する。
【００３５】
（実施例２）
続いて本発明の第２の実施例について説明する。図７は本実施例の構成を示す説明図である。本実施例では、吸盤４０と、スペーサ４１を使用している。スペーサ４１は前記吸盤４０の突起４０ａに嵌合されるようになっている。本実施例では、スペーサ４１は長さの異なるものを複数用意しているものである。吸盤４０とスペーサ４１は脱臭部１１は、例えばポリエチレン等の袋に収容して脱臭部１１に粘着テープ等によって固定されている。
【００３６】
以下本実施例の構成としたものについて、脱臭部１１を取り付ける取り付け方法を説明する。本実施例では、実施例１で使用しているアジャスタ２５の代わりに、前記吸盤４０とスペーサ４１とを使用するようにしているものである。便器１に吸盤４０を配置する。この状態で便座３を引き上げて、便器１の上面に、吸引ノズル部１０を図１に示しているように引っかける。吸引ノズル部１０が便器１上に載置されると、吸引ノズル部１０に接続している脱臭部１１は便器１の側面に位置する。設置者はこの状態で、スペーサ４１を便器１と脱臭部４１の間に、吸盤４０の突起部４０ａ上となるように配置する。脱臭部１１は、スペーサ４１の長さだけ便器１から離れた位置に位置することになる。すなわち、スペーサ４１の長さを調整することによって、脱臭部１１の配置角度を調整できる。つまり、設置者が使用するスペーサの種類を適切に選択することによって、脱臭部１１を鉛直方向に配置できるものである。
【００３７】
従って、本実施例の構成としても、脱臭部１１が便器１の側面に鉛直に保持でき、取り付け作業が楽にできるものである。
【００３８】
（実施例３）
続いて本発明の第３の実施例について説明する。本実施例では、図１に示している吸引ノズル部１０と、脱臭部１１との間を図示していない接続チューブによって接続した構成としているものである。前記接続チューブは、長さの設定が自由にできる。従って、この構成としたときには、脱臭部１１をトイレ空間内のどの位置にも設置できるものである。すなわち、トイレ空間の床面に直接配置することも、トイレ空間の壁面に引っかけて固定することも自由にできる。
【００３９】
従ってこの構成としたときには、便器１と便座３との間に挿入する吸引ノズル部１０には荷重がかからないものである。従って、吸引ノズル部１０が浮き上がったりすることはなく、便座３が浮き上がったり便蓋２が閉まらなくなる現象は発生しないものである。
【００４０】
【発明の効果】
請求項１に記載した発明は、便器と便座との隙間に配置する吸引口を有する吸引ノズル部と、吸引ノズル部が吸引した空気を脱臭処理する脱臭部と、便器と脱臭部との間に挿入するアジャスタとを備え、前記アジャスタには、上方に向かうに従って断面積が小さくなるくさび型形状のハウジング部を設け、前記アジャスタを前記便器に沿わせて上下させて調整することによって脱臭部が便器の側面に鉛直に保持される構成として、便蓋が閉じられない、あるいは便蓋が浮くという状況が発生することがなく、取り付け作業が容易にできるトイレ脱臭装置を実現するものである。また、脱臭部の配置作業が非常に容易なトイレ脱臭装置を実現するものである。
【００４１】
請求項２に記載した発明は、吸引ノズル部は、Ｌ字状とした形状とし、Ｌ字の一辺に脱臭部を接続する構成として、吸引ノズル部を便器をまたぐように配置することによって便器の側面に自動的に脱臭部を配置でき、脱臭部の配置作業が非常に容易なトイレ脱臭装置を実現するものである。
【００４２】
請求項３に記載した発明は、吸引ノズル部を構成するハウジングは、プラスチック樹脂によって構成することによって、脱臭部の取り付け作業時に吸引ノズル部によって便器や便座等の周囲の部品を傷つけることがなく、また作業者が傷を負ったりすることがない安全な取り付け作業ができるトイレ脱臭装置を実現するものである。
【００４３】
請求項４に記載した発明は、アジャスタは、磁石を有するハウジング部と、前記磁石に吸引保持されるプレートと前記プレートの表面に貼りつけた粘着テープによって構成して、脱臭部の配置作業が非常に容易なトイレ脱臭装置を実現するものである。
【００４４】
請求項５に記載した発明は、ハウジング部は、プラスチック樹脂によって構成して、脱臭部を便器の側面に配置する作業を実行する際に、脱臭部を傷つけたり、便器を傷つけたりするおそれがなく、取り付け作業が非常に楽なトイレ脱臭装置を実現するものである。
【００４５】
請求項６に記載した発明は、ハウジング部は少なくとも表面をフッ素樹脂加工した構成として、脱臭部を便器の側面に配置する作業を実行する際に、脱臭部を傷つけたり、便器を傷つけたりするおそれがなく、取り付け作業が非常に楽なトイレ脱臭装置を実現するものである。
【００４６】
請求項７に記載した発明は、ハウジング部は、プレートに備えた溝がはまりこむ突起を有する構成として、脱臭部の配置位置を正確に決めることができるトイレ脱臭装置を実現するものである。
【００４７】
請求項８に記載した発明は、プレートは一列に配置している所定の間隔とした複数の溝を有している構成として、脱臭部の配置位置を正確に決めることができるトイレ脱臭装置を実現するものである。
【００４８】
請求項９に記載した発明は、アジャスタは、脱臭部に取り付けた構成として、アジャスタは常に脱臭部に一体に取り付けられており、例えば運搬によって紛失されたりすることがなく、取り付け作業が楽にできるトイレ脱臭装置を実現するものである。
【００４９】
請求項１０に記載した発明は、アジャスタは、脱臭部に取り外し自在に取り付けた構成として、取り付け時にアジャスタを脱臭部から簡単に取り外して使うことができ、取り付け作業が楽にできるトイレ脱臭装置を実現するものである。
【００５０】
請求項１１に記載した発明は、吸引ノズル部と脱臭部とを接続する接続チューブを備えた構成として、取り付け作業そのものが不要となるトイレ脱臭装置を実現するものである。
【図面の簡単な説明】
【図１】本発明の第１の実施例であるトイレ脱臭装置の構成を示す説明図
【図２】同、吸引ノズル部の形状を説明する斜視図
【図３】同、脱臭部の内部の構成を示す断面図
【図４】同、アジャスタの構成を示す断面図
【図５】同、プレートの構成を示す平面図
【図６】同、プレートの構成を示す側面図
【図７】従来例であるトイレ脱臭装置の構成を示す斜視図
【符号の説明】
１  便器
２  便蓋
３  便座
１０  吸引ノズル部
１０ａ  吸気口
１１  脱臭部
１２  脱臭剤
１３  ファンモータ
１４  隔壁
２５  アジャスタ
２６  ハウジング部
２７  磁石
２８  突起
２９  取り付け板
３０  ネジ
３１  プレート
３２  両面粘着テープ
３３  溝
【図１】
0003617451.tif 000002
【図２】
0003617451.tif 000003
【図３】
0003617451.tif 000004
【図４】
0003617451.tif 000005
【図５】
0003617451.tif 000006
【図６】
0003617451.tif 000007
【図７】
0003617451.tif 000008